(57)【要約】  【課題】大きな基板面積を確保することができ、且つ幅方向の配置スペースが小さくて済むスライド操作装置、及び該スライド操作装置を備えたスライド制御盤を提供する。  【解決手段】操作子（連結ロッド２３、摘み部２４）、及び該操作子をスライド可能に支持する躯体２５を備えた設定部本体２０Ａと、基板４０Ａと、取付部３０とを備え、取付部３０は、平面状部材６１と、操作パネル２に対面する対向部位６２ｔと、操作パネル裏側に固定するためのパネル固定部６４とを備え、設定部本体２０Ａは、対向部位６２ｔに交差する方向Ｔ及び操作子のスライド方向Ｓに延在し、操作子は、躯体２５内から躯体外方へ向かって延び、取付部３０は、平面状部材６１の一方の側に設定部本体２０Ａを保持し、平面状部材６１の他方の側に基板４０Ａを保持しているスライド操作装置１０Ａ、及び複数の該装置を操作パネルに取り付けたスライド制御盤１。【選択図】図１０
2009260259.tif 000002
【特許請求の範囲】
【請求項１】
操作子と、該操作子をスライド可能に支持する躯体とを有するスライド操作装置であって、
前記躯体は、操作パネルへの取り付け時に該操作パネル裏面に対面する対向部位を有し、該対向部位に交差する方向及び前記操作子のスライド方向に延在しており、
前記操作子は、前記躯体内から前記躯体外方へ向かって延びており、
前記操作子で設定されるパラメータを信号化して送出するための基板が前記躯体外において該躯体の延在方向に沿って配置されて該躯体に取り付けられていることを特徴とするスライド操作装置。
【請求項２】
前記躯体の下部に第１保持部、上部に第２保持部を各々設け、前記基板におけるこれらの保持部に対応した位置に第１係合部及び第２係合部を設け、前記第１保持部及び第２保持部に前記第１係合部及び第２係合部を各々係合させて保持したことを特徴とする請求項１に記載のスライド操作装置。
【請求項３】
前記操作子によるパラメータの設定状態を表示するための表示器が前記基板に取り付けられており、該表示器は、パラメータの設定状態に対応して表示作用をなすように複数の発光素子を備えていることを特徴とする請求項１または２に記載のスライド操作装置。
【請求項４】
操作子、及び該操作子をスライド可能に支持する躯体を備えた設定部本体と、
前記操作子で設定されるパラメータを信号化して送出するための基板と、
前記設定部本体及び前記基板をスライド制御盤の操作パネルに取り付けるための取付部とを備えたスライド操作装置であって、
前記取付部は、平面状部材と、操作パネルへの取り付け時に該操作パネル裏面に対面する対向部位と、前記平面状部材をスライド制御盤の操作パネル裏側に固定するためのパネル固定部とを備え、
前記設定部本体は、前記対向部位に交差する方向及び前記操作子のスライド方向に延在しており、
前記操作子は、前記躯体内から前記躯体外方へ向かって延びており、
前記取付部は、前記平面状部材の一方の側に前記設定部本体を保持し、前記平面状部材の他方の側に前記基板を保持していることを特徴とするスライド操作装置。
【請求項５】
請求項１から４のいずれか１項に記載の複数の前記スライド操作装置が並列状態に配置されて前記操作パネルに取り付けられていることを特徴とするスライド制御盤。
【発明の詳細な説明】
【技術分野】
【０００１】
本発明は、操作子のスライドにより電子楽器や音響設備のパラメータ設定を行なうためのフェーダやミキサ等のスライド操作装置、及び複数のスライド操作装置を備えたスライド制御盤に関する。
【背景技術】
【０００２】
このようなスライド操作装置として、フェーダが多く使用されており、スライド制御盤としては、複数のフェーダを備えたミキサが多用されている。フェーダは、箱状の本体の上部に設けた摘み部等の操作子をスライドすることにより、スライド位置に応じて音量、音質、エフェクト等の制御パラメータの設定を行なうためのものであり、操作子のスライドを手動で行なうものや、これにモータ駆動を加えたものがある。電子楽器や音響設備は、フェーダから送られた制御信号に基づいて各種制御を行なう。そのため、フェーダは、パラメータの設定及び送信のための電子部品や回路が実装された基板に接続される。ミキサは、複数のフェーダが装着され、必要に応じて他の種々の音響制御部を備え、操作パネルに配置された操作子により様々な音響パラメータの制御を行なうのに用いられる。
【０００３】
従来のフェーダと基板との接続形態としては、例えば、特許文献１に記載されたものでは、摘み部に結合された可動子を箱状本体の内部に納め、本体の側壁内面に基板を配置している。また、特許文献２に記載のスライド操作装置では、箱状本体内を摺動するゴンドラに基板を取り付けている。特許文献３に記載の装置では、基板は、ミキサに装着されたフェーダの近くで個々にミキサのパネルに取り付けられている。
【先行技術文献】
【特許文献】
【０００４】
【特許文献１】特開２００２−８９０７号公報（段落００１３）
【特許文献２】特開２００７−１３４６４６号公報（段落００４２）
【特許文献３】特許第３７１６８２２号公報（段落００１４，００２２）
【発明の概要】
【発明が解決しようとする課題】
【０００５】
しかしながら、上述のようフェーダの構成では、フェーダの取り付け寸法や機能上での問題があった。すなわち、特許文献１の装置では、フェーダ本体の側壁内面に基板を取り付けているため、基板で発生する熱が本体内に蓄積しやすく、これを避けるためにフェーダ本体の容積、特に基板の厚さ方向の寸法を大きくしなければならない。
【０００６】
フェーダ上部の操作面は、通常、操作子のスライド方向に細長くなっているが、基板の厚さ方向の寸法を大きくするということは、その長手方向に垂直な方向（フェーダの幅方向）の増大を意味する。ミキサのように多数のフェーダを備える場合には、個々のフェーダが幅方向に大きくなると、全体の寸法がかなり大きなものになってしまうという問題を生じる。
【０００７】
また、特許文献２の装置では、フェーダ本体内で摺動するゴンドラに基板を取り付けているため、基板の寸法がゴンドラによって制限され、基板回路の機能を抑えざるをえず、一方、基板面積を大きくして基板回路の機能を高めるためには基板の複層化を要し、これを納めるフェーダ本体は幅方向の寸法が大きくなってしまう。
【０００８】
特許文献３の装置では、基板がフェーダとは別個にミキサのパネルに取り付けられるので、フェーダとパネルとの結合、並びに基板とパネルとの結合のためのスペースが必要となり、フェーダ１個あたりの幅方向の取り付け間隔が大きくなる。
【０００９】
したがって、いずれの場合も、フェーダの配置スペースの増大及びこれに伴うミキサの大型化という問題を生じる。この問題は、操作子のスライドにより電子楽器や音響設備のパラメータ設定を行なう他のスライド操作装置においても同様に発生し、さらに、そのようなスライド操作装置を備えたスライド制御盤においても発生する。
【００１０】
本発明は、これら従来技術の問題を解決し、大きな基板面積を確保することができ、且つ幅方向の配置スペースが小さくて済むスライド操作装置を提供すること、及び該スライド操作装置を備えたスライド制御盤を提供することを目的とする。
【課題を解決するための手段】
【００１１】
本発明は、前記目的を達成するため、操作子（連結ロッド２３、摘み部２４）と、該操作子をスライド可能に支持する躯体２５とを有するスライド操作装置１０であって、前記躯体２５は、操作パネル２への取り付け時に該操作パネル裏面に対面する対向部位２１４ｔを有し、該対向部位２１４ｔに交差する方向Ｔ及び前記操作子のスライド方向Ｓに延在しており、前記操作子は、前記躯体２５内から前記躯体２５外方（矢印Ｇの方向）へ向かって延びており、前記操作子で設定されるパラメータを信号化して送出するための基板４０が前記躯体外において該躯体２５の延在方向に沿って配置されて該躯体２５に取り付けられていることを特徴とするスライド操作装置提供するものである。
【００１２】
本発明はまた、前記目的を達成するため、操作子（連結ロッド２３、摘み部２４）と、該操作子をスライド可能に支持する躯体２５とを備えた設定部本体２０Ａと、前記操作子で設定されるパラメータを信号化して送出するための基板４０Ａと、前記設定部本体２０Ａ及び前記基板４０Ａをスライド制御盤１の操作パネル２に取り付けるための取付部３０とを備えたスライド操作装置１０Ａであって、前記取付部３０（平面状部材６１、対向部位６２ｔ，２１４ｔ、パネル固定部６４）は、平面状部材６１と、操作パネル２への取り付け時に該操作パネル裏面に対面する対向部位６２ｔ，２１４ｔと、前記平面状部材６１をスライド制御盤１の操作パネル裏側に固定するためのパネル固定部６４とを備え、前記設定部本体２０Ａは、前記対向部位６２ｔ，２１４ｔに交差する方向Ｔ及び前記操作子のスライド方向Ｓに延在しており、前記操作子は、前記躯体２５内から前記躯体外方（矢印Ｇの方向）へ向かって延びており、前記取付部３０は、前記平面状部材６１の一方の側に前記設定部本体２０Ａを保持し、前記平面状部材６１の他方の側に前記基板４０Ａを保持していることを特徴とするスライド操作装置を提供するものである。
【００１３】
本発明はさらに、前記目的を達成するため、複数の前記スライド操作装置が並列状態に配置されて前記操作パネルに取り付けられていることを特徴とするスライド制御盤を提供するものである。
【００１４】
［作用］
【００１５】
（１）本発明に係るスライド操作装置は、操作子をスライド可能に支持する躯体とを有する躯体が、操作パネルへの取り付け時に該操作パネル裏面に対面する対向部位を有し、該対向部位に交差する方向及び前記操作子のスライド方向に延在し、操作子が前記躯体内から前記躯体外方へ向かって延びているスライド操作装置において、前記操作子で設定されるパラメータを信号化して送出するための基板が前記躯体外において躯体長手方向に延びるように配置して該躯体に取り付けられている。基板は、このように、設定部本体の躯体外において躯体長手方向に延びるように位置するので、設定部本体内に納められる場合のような寸法制限を受けることなく、大きな面積を確保することができる。また、基板は、該躯体外の空気に触れることができるので、放熱効率が良い。その結果、設定部本体の幅方向寸法を小さくしても蓄熱の問題は生じない。これにより、スライド操作装置は、幅方向の配置スペースを小さくすることができる。
【００１６】
（２）上記（１）のスライド操作装置は、前記躯体の下部に第１保持部、上部に第２保持部を各々設け、前記基板におけるこれらの保持部に対応した位置に第１係合部及び第２係合部を設け、前記第１保持部及び第２保持部に前記第１係合部及び第２係合部を各々係合させて保持したものとすることができる。このようにして、保持部及び係合部を設ければ、基板を躯体の外面に容易に保持させることができ、装置組立ての作業能率が向上する。
【００１７】
（３）上記（１）又は（２）のスライド操作装置は、前記操作子によるパラメータの設定状態を表示するための表示器が前記基板に取り付けられており、該表示器は、パラメータの設定状態に対応して表示作用をなすように複数の発光素子を備えたものとすることができる。このように、パラメータ送信用の基板を利用して表示器を設けることにより、スライド操作装置の幅方向寸法を増すことなくパラメータの設定状態を表示させることができる。
【００１８】
（４）本発明に係るスライド操作装置は、上記（１）の構成に代えて、操作子と、該操作子をスライド可能に支持する躯体とを備えた設定部本体と、前記操作子で設定されるパラメータを信号化して送出するための基板と、前記設定部本体及び前記基板をスライド制御盤の操作パネルに取り付けるための取付部とを備えたものとすることができる。この場合、前記取付部は、平面状部材と、操作パネルへの取り付け時に該操作パネル裏面に対面する対向部位と、該平面状部材をスライド制御盤の操作パネル裏面に固定するためのパネル固定部とを備え、前記平面状部材の一方の側に前記設定部本体を保持し、前記平面状部材の他方の側に前記基板を保持する。したがって、設定部本体及び基板は、取付部に保持されることにより確実に固定され、取付部は対向部位及びパネル固定部を備えることにより制御盤のパネル裏面に確実に固定され、これらの結果、設定部本体及び基板は、制御盤のパネルに堅固に固定されることとなる。特に、多数のスライド操作装置を備えるミキサにおいては、個々のスライド操作装置が確実に堅固に固定されていることが作動の安定性上重要である。また、基板の接地やＥＭＩ対策を必要とされる場合は、取付部に金属部分を設けることにより、確実且つ容易に接地又はＥＭＩへのシールドが可能となる。
【００１９】
（５）本発明に係るスライド制御盤は、前記操作子が操作パネルの面から上方へ突出し、前記躯体の長手方向部分が隣り合うようにして、上記（１）〜（３）のいずれかに記載の複数の前記スライド操作装置が並設されている。そして、個々のスライド操作装置は、上述の通り幅方向の配置スペースを小さくすることができるので、スライド制御盤全体の寸法を小型化することができる。
【００２０】
（６）前記（４）における取付部は、前記平面状部材における操作パネル側の端部から前記設定部本体側へ曲折して延びた曲折部を有し、縦断面がＬ字状とされたものとすることができる。
【００２１】
（７）前記（６）における取付部の曲折部は、前記設定部本体側へ延び先端部が操作パネルから遠ざかる側へ曲折され該設定部本体の操作パネル側の端部に係止し得る挟持部を形成しているものとすることができる。
【００２２】
（８）前記（４）、（６）または（７）におけるパネル固定部は、前記操作子の摺動方向における一端側において、前記平面状部材から前記基板固定側へ突き出た第一固定片と、前記操作子の摺動方向における他端側において前記曲折部の先端部から第一固定片とは反対側へ突き出た第二固定片とを備えているものとすることができる。
【発明の効果】
【００２３】
上記のように、本発明によれば、大きな基板面積を確保することができ、且つ幅方向の配置スペースが小さくて済むスライド操作装置を提供すること、及び該スライド操作装置を備えたスライド制御盤を提供することができる。
【図面の簡単な説明】
【００２４】
【図１】本発明の第１の実施形態に係るスライド操作装置を備えたスライド制御盤の平面図である。
【図２】図１の側面図である。
【図３】図１からスライド操作装置を取り出して示す斜視図である。
【図４】図３のスライド操作装置の平面図である。
【図５】図３のスライド操作装置の正面図である。
【図６】図３のスライド操作装置における基板の斜視図である。
【図７】３つのスライド操作装置をパネルに取り付けた状態を示す縦断側面図である。
【図８】図７の一部の拡大図であり、スライド操作装置中の表示装置を中心に示す。
【図９】図８に示された表示装置の要部の斜視図である。
【図１０】本発明の第２の実施形態に係るスライド操作装置を分解して示す斜視図である。
【図１１】図１０の３つのスライド操作装置をパネルに取り付けた状態を示す縦断側面図である。
【図１２】第２の実施形態の変形例を示す図であり、(a) は設定部本体２０Ａと保持部材６０とを分解して示す図、(b) はその組立状態の要部断面図である。
【図１３】第２の実施形態の他の変形例を示す斜視図である。
【発明を実施するための形態】
【００２５】
以下、本発明の実施形態について添付図面を参照しつつ説明する。図面中の同一又は同種の部分については、同じ番号を付して説明を省略することがある。
【００２６】
図１は本発明の第１の実施形態に係るスライド操作装置を備えたスライド制御盤の平面図、図２はその側面図である。このスライド制御盤１は、光表示付き操作装置であるミキサとして用いられるものであり、図示のように、スライド制御盤１のパネル２には、様々な音響制御のための操作部３、モニタ４等が設けられると共に、多数のスリット５が配列されている。このスライド制御盤には、各スリット５に対応してスライド操作装置１０が装着され、摘み部２４がスリット５に沿ってスライドし得るように設けられている。また、この実施形態においては、摘み部２４の位置に対応して発光表示を行なう表示器５０が各スリット５に沿って設けられている。
【００２７】
図３、図４及び図５は、１つのスライド操作装置１０を取り出して示す斜視図、平面図及び正面図である。これらの図に関しては、説明の便宜上、スライド制御盤の操作パネル面に沿う方向を水平方向、操作パネル面を横切る方向を上下方向とする。このスライド操作装置１０は、全体がフラットな立体形状をなしフェーダとして機能するパラメータ設定部本体２０と、パラメータを信号化して送出するための印刷回路を有した基板４０とを備えており、図３はこれら２つの部分を分解した状態、図４及び図５は組み立状態を示している。設定部本体２０は、細長い上部部材２１と、該上部部材２１の長辺から下方へ延びる下部部材２２とを有した躯体２５を備えている。上部部材２１は、躯体２５の上壁を構成する支持壁２１１と、該支持壁２１１の両側辺から上方へ延びる起立壁２１２とにより、横断面が角張ったＵ字状に構成されている。下部部材２２は板状であり、起立壁２１２と共に躯体２５の側面に位置した側壁を構成している。この実施形態では、躯体２５は、図示のように、側面の面積が上面の面積に対して大きく構成されている。
【００２８】
支持壁２１１には、その長手方向に沿って形成された細長い開口部２１３が形成され、該開口部２１３から連結ロッド２３が上方へ突出している。連結ロッド２３の下部は、躯体２５内でガイドシャフト２５１に摺動可能に支持されたゴンドラ２５２（後述する図７参照）に結合されている。連結ロッド２３の上端部には、摘み部２４が固定されており、摘み部２４及び連結ロッド２３は、ゴンドラを手動操作するための操作子を構成している。躯体２５の長手方向の一端側には電動モータ２８が取り付けられ、その駆動軸は上方へ延び、上端部にプーリ２６ａが固定されている。支持壁２１１のすぐ上には、電動モータ２８と反対側の端部にプーリ２６ｂが回転自在に支持され、これらのプーリ２６ａ，２６ｂに歯付きベルト２７が巻回されており、連結ロッド２３は結合片２３１を介して歯付きベルト２７に結合されている。したがって、摘み部２４は、ゴンドラを伴って開口部２１３に沿ってスライドさせることができ、そのスライド位置は躯体２５内の位置センサによって検知される。位置センサに接続された信号線、及び電動モータ２８の駆動制御のための信号線は、フラットケーブル２９として下部部材２２から躯体２５外へ取り出され、該フラットケーブル２９は基板４０上に設けられた端子４３に接続される。したがって、摘み部２４の位置情報は、位置センサからフラットケーブル２９を通じて基板の制御部に伝えられ、制御部での駆動信号はフラットケーブル２９を通じて電動モータ２８に伝えられる。これにより、摘み部２４は、手動及びモータ駆動のいずれかにてスライドさせることができ、そのスライド位置の情報が基板４０の制御部に伝達される。制御部は、スライド位置に応じて音量、音質、エフェクト等の制御パラメータを出力し、その出力は、電子楽器や音響設備の制御装置に送られ、それにしたがった音響制御が行なわれる。
【００２９】
設定部本体２０の躯体２５には、板金の曲げ加工又は樹脂の一体成形により下端部から側壁の外面側へ突設するように設けた第１保持部３１と、上端部から側壁の外面側へ突設した第２保持部３２とが設けられている。この実施形態では、第１保持部３１は、躯体２５の長手方向中央部において水平に突出した係止板３１１に細長い係止孔３１２が形成されたものであり、第２保持部３２は起立壁２１２の長手方向両端部に形成された雌ねじ付き孔３２１と、これに螺合する止めねじ３２２とで構成されている。
【００３０】
基板４０には、これらの保持部に対応した位置に第１係合部４１及び第２係合部４２が設けられている。この実施形態では、基板４０は、平板状の支持プレート４５に印刷回路を設け電子部品等を実装したものであり、支持プレート４５の下端部に第１係合部４１が設けられている。第１係合部４１は、支持プレート４５の下端における中央部に舌片４１１として形成されている。支持プレート４５における舌片４１１の両側に位置する部分は切欠き４１２が形成されることにより、舌片４１１は切欠き４１２の上端部より下方へ突出した形状とされている。第２係合部４２は、支持プレート４５の長手方向両端部における上部に形成された貫通孔４２１として形成されている。
【００３１】
したがって、図３に示した状態にある設定部本体２０及び基板４０を図４及び図５の状態に結合するには、第１係合部４１の舌片４１１を第１保持部３１の係止孔３１１に挿入し、支持プレート４５を設定部本体２０の側壁に近づけ、第２係合部４２の貫通孔４２１を第２保持部３２の雌ねじ付き孔３２１に合わせ、止めねじ３２２を支持プレート４５側から貫通孔４２１に通して雌ねじ付き孔３２１へ螺合し、締結すればよい。
【００３２】
支持プレート４５の一端側には配線用開口４５１が形成されている。したがって、設定部本体２０及び基板４０を結合する際には、フラットケーブル２９を該配線用開口４５１に通し、端子４３に接続することができる。
【００３３】
基板４０には、さらに、操作子によるパラメータの設定状態を表示するための表示器５０が取り付けられている。これら基板４０及び表示器５０は、発光手段を印刷配線基板に担持させた表示装置１００を構成している。
【００３４】
図６は、表示装置１００を表示器５０の設置側から見た斜視図であり、図７は、複数のスライド操作装置１０をスライド制御盤１のパネル２に取り付けた状態を示す縦断側面図であり、図４のＡ−Ａ線に沿う断面を示す（図では３個のスライド操作装置が示されている）。図８は、表示器５０を中心にした図７の拡大図である。
【００３５】
この表示器５０は、支持プレート４５（前述の基板）に取り付けられプレート面から遠ざかる向きに光を出射する発光素子５１と、該発光素子出射された光を支持プレート４５に沿う方向（基板の広がり方向の内の上方向Ｙ）に出射させる導光体５２と、該導光体を保持する保持カバー５３とを備えている。発光素子５１は、基板の設置面に直付けされるチップ上ＬＥＤであって、例えば、２×３×２ｍｍの直方体の表面を発光部（発光面）、裏面を端子部としたものとし、基板に対する加熱源を通過することにより基板上にハンダ付けされるものとすることができる。
【００３６】
導光体５２は、図９にも示すように、透光性の柱状体により形成され、該柱状体の下端が柱状体軸線Ｊ１に対して傾斜した反射面５２１とされ、該反射面に対向する側の側面が入射面５２２とされ、該入射面５２２を発光素子５１に臨ませるようにして支持プレート４５に取り付けられている。入射面５２２から導光体５２に入射した光は該反射面５２１での反射後に柱状体側面で全反射しつつ柱状体上端面を出射面５２３として出射するように構成されている。したがって、導光体５２は、入射面５２２から入射した発光素子５１の光を支持プレート４５に沿って支持プレート４５の延長側（Ｙ方向）へ出射させる。この実施形態では、発光素子５１が、支持プレート４５の面に対して光軸Ｊ２が垂直となる方向に光を出射するので、導光体５２は反射面５２１により入射光の光路を９０度変える作用をなす。
【００３７】
導光体５２は、長手方向の縦向きにして相互に平行に並んで６個配設されており、該並び方向に沿って延びる連結部５２４に結合された状態に形成されている。この連結部５２４は樹脂による一体成形時のランナーとして形成されたものである。
【００３８】
保持カバー５３は、側壁５３５，前壁５３６，後壁５３７を有する箱形をなし、導光体５２を囲む保持部を形成しており、隣り合う導光体５２の間に位置する遮光性壁部５３０を備えている。遮光性壁部５３０は、一つの導光体に導かれる光が他の導光体へ漏れ出るのを防止する。前壁５３６には、６個の導光体５２に対応する位置に窓５３６ａが形成されており、支持プレート４５への取付状態において発光素子５１の発光部がこの窓５３６ａに対峙する。そして、導光体５２における発光素子５１に臨む面が入射面５２２となっている。また、前壁５３６の上端は、導光体５２の連結部５２４を図示の状態において下から支える位置に設けられている。６個からなる導光体５３２（導光体アッセンブリ）と、前記カバー５３とは、樹脂成形法でいうところの二色成形法で一体成形され導光体ユニットを構成する。この成形法は、特許第３６０３９５２号により開示された技術であり、導光体ユニットは、この二色成形法によって成形することもでき、その場合は、導光体の導孔機能（導光体の出射面を斜めから見ても発光強度が低下し難いという機能）が著しく向上する。
【００３９】
この実施形態では、保持カバー５３と６個の導光体５２が１つの表示器ユニット５５を構成しており、表示器ユニットの組立ては、連結部５２４で結合された導光体５２をまとめて持ち、保持カバー５３保持させることができるので、作業が簡便である。
【００４０】
保持カバー５３は、下部に位置決め用の突起５３１及び取り付け用のフック５３２、上部に固定フック５３３を、係止部として備えており、支持プレート４５には、これらに対応した位置に位置決め用孔４５２、係止孔４５３及び固定孔４５４が、被係止部として形成されている。したがって、導光体５２を保持した保持カバー５３は、固定フック５３３を固定孔４５４に通して上部を固定し、突起５３１を位置決め用孔４５２、フック５３２を係止孔４５に各々に位置合わせし、これらを各孔に挿入することにより、表示器ユニット５５の正確な位置決めと、支持プレート４５への固定を一度に行なうことができる。また、フック５３２を変形させて係止を解き、係止孔４５から抜くようにすれば、表示器ユニット５５を支持プレート４５から取り外すことができる。
【００４１】
この実施形態では、図６に示されているように、保持カバー５３は、支持プレート４５の面から端子４３と同じ側へ突出している。基板４０には、上記部品の他、種々の部品が装着されている。この例では、端子４３ａ，４３ｂ，４３ｃ，４３ｄ，４３ｅ、電子部品４４ａ，４４ｂ，４４ｃ，４４ｄ，４４ｅ，４４ｆ等である。そして、支持プレート４５上の保持カバー５３及び他の部品は、その突出高さが端子（例えば、端子４３）の突出高さ以内とされている。したがって、表示装置１００は、全体の高さが支持プレート４５の厚さと端子の高さを合わせた寸法に抑えられている。したがって、スライド操作装置１０を接近して並べれば、相互の間隔を小さくすることができ、スライド制御盤１をコンパクト化することができる。
【００４２】
或いは、端子又は保持カバー５３の高さによっては、端子及び支持プレート４５上の他の部品の突出高さを保持カバー５３の突出高さ以内とすることもできる。この場合には、表示装置１００は、全体の高さが支持プレート４５の厚さと保持カバー５３の高さを合わせた寸法に抑えられ、スライド操作装置１０相互の間隔を小さくすることができ、スライド制御盤１をコンパクト化することができる。
【００４３】
スライド操作装置１０は、上部部材２１の起立壁２１２上端から水平に延びるブラケット２１４に螺合するねじ１１により、スライド制御盤１のパネル２に取り付けられる。ブラケット２１４の上面は、躯体２５をパネル２に取り付ける際に該パネル裏面に対面する対向部位２１４ｔとなっており、躯体２５は、図３に矢印で示すように対向部位に交差する方向Ｔ及び前記操作子のスライド方向Ｓに延在している。したがって、連結ロッド２３（操作子）は、躯体２５内から対向部位２１４ｔを越えた躯体２５外方へ向かって延び、この実施形態では、躯体２５外の位置で摘み部２４が結合されている。パネル２には、導光体の出射面５２３に対応した位置に透光機能を有する透孔部２ａ（図８）が形成されており、導光体５２から出射される光を該透孔部から外部へ放出するようになっている。
【００４４】
基板４０は、スライド操作装置１０における摘み部２４の位置情報に基づき、表示器５０の発光素子５１を摘み部２４の位置に対応して発光させる。これは、典型的には、図１における下から摘み部２４までの範囲を棒グラフのように発光させるように行なわれるが、摘み部２４のある位置に最も近い単一又は複数の発光素子５１のみを発光させるようにするなど、他の発光形態をとることもできる。
【００４５】
上記実施形態においては、設定部本体２０の躯体２５に設けられた第１保持部３１及び第２保持部３２と、基板４０に設けられた第１係合部４１及び第２係合部４２との凹凸係合は相互に逆に設けることもでき、相互の結合のための他の係合形態をとることも可能である。表示器５０は発光を伴う種々の表示形態とすることができ、また、必要性がない場合には省略することも可能である。
【００４６】
次に、本発明の第２の実施形態に係るスライド操作装置について説明する。図１０はそのスライド操作装置を分解して示す斜視図、図１１はスライド操作装置が多数配置されたスライド制御盤を示す縦断面図である。第２の実施形態に係るスライド操作装置において第１の実施形態のものと同一又は同種の部分には、同一の番号を付して説明を一部省略する。図１０及び図１１に関しては、説明の便宜上、スライド制御盤の操作パネル面に沿う方向を水平方向、操作パネル面を横切る方向を上下方向とする。
【００４７】
このスライド操作装置１０Ａは、第１の実施形態と同様の構造を有するパラメータ設定部本体２０Ａと基板４０Ａとを備えており、さらに、これらをスライド制御盤のパネル裏面に固定するための取付部３０を備えている。したがって、この実施形態においては、第１の実施形態における設定部本体２０の第１保持部３１及び第２保持部３２、並びに基板の第１係合部４１及び第２係合部４２は備えられておらず、以下に説明する取付部３０を用いた取り付け構造が採用されている。
【００４８】
取付部３０は、以下に説明するように、板状体６１（平面状部材）を有する保持部材６０と、設定部本体２０Ａの躯体２５に設けられたブラケット２１４とを備えている。板状体６１は、図１０に示すように、パラメータ設定部本体２０Ａと基板４０Ａとの間に位置し、これらとほぼ同じ大きさを有している。保持部材６０はまた、板状体６１の上端部から設定部本体２０Ａ側へ曲折して水平に延びた曲折部６２を有し、縦断面がＬ字状とされている。曲折部６２は、設定部本体２０Ａの厚さとほぼ同じ距離延びた後、先端部が下方へ僅かな距離に亘って曲折されて挟持部６３を形成しており、板状体６１と協働して設定部本体２０Ａの上端部２００を挟持する形状となっている。曲折部６２には、摘み部２４を摺動可能に受け入れるスリット６２０が形成され、その両端部を越えた位置に設定部本体２０Ａの取り付けのための貫通孔６２１が形成されている。後述するように、曲折部６２は、ブラケット２１４上に曲折部６２が重ねられて、スライド制御盤の操作パネルへの取り付けが行なわれる。そして、曲折部６２の上面は、操作パネル裏面に対面する対向部位６２ｔを構成する。
【００４９】
保持部材６０の板状体６１の上部には、スライド制御盤１のパネル２への固定のためのパネル固定部６４が設けられている。パネル固定部６４は、摘み部２４（操作子）の摺動方向における一端側において、板状体６１から基板４０Ａ固定側へ突き出た第一固定片６４ａと、摘み部２４の摺動方向における他端側において曲折部６２の先端部から第一固定片６４ａとは反対側へ突き出た第二固定片６４ｂとからなっている。第一固定片６４ａ及び第二固定片６４ｂは共に水平に延び、取り付けビスを通すための貫通孔が設けられている。
【００５０】
板状体６１における基板取り付け側には、基板４０Ａの面を当接させるための複数の舌片が設けられている。これらの舌片は、板状体６１の上端寄りの両端部に位置する舌片６１１，６１２、並びに、下端の両端部及び中央寄り部分に位置する６１３，６１４，６１５からなる。これらの舌片は、舌片の面が板状体６１の全体的な面から基板側に僅かに飛び出して位置するように板状体を折り曲げて形成されている。これは、基板４０Ａの板状体６１側に設けられた部品やその反対側の部品から板状体６１側へ突出する取付け部が、板状体６１に接触するのを避けるためである。そして、下端の端部に位置する一つの舌片６１５を除いて、これらの舌片には基板４０Ａを固定するための雌ねじ付き孔６１１ａ〜６１４ａが形成されている。
【００５１】
さらに、板状体６１には、上端から僅かに下方の位置に、摘み部２４の摺動方向に間隔をおいて小さい切欠き部６５及び６６が形成されている。これらの切欠き部６５及び６６は、第１の実施形態において説明した表示器ユニット５５を基板４０に取り付ける際に、基板の裏面側に突出する部分を受け入れるものである。すなわち、図９に示した表示器ユニット５５は、基板４０Ａへの固定の際に、位置決め用の突起５３１及び固定フック５３３が基板４０Ａを貫通して裏面側に突出するので、この突出部分を受け入れるために、板状体６１に切欠き部６５及び６６が位置決め用の突起５３１及び固定フック５３３に対応した位置で窓状に設けられている。また、板状体６１の中央部の３箇所には、軽量化及び基板の放熱のための切欠き６７が形成されている。
【００５２】
保持部材６０の板状体６１、曲折部６２及びパネル固定部６４は、１枚の金属板の板金加工によって形成されており、板金の打ち抜き、曲げ加工等により、上記の各部分が形成されている。板状体６１における第一固定片６４ａの下方部分は、このような板金加工による第一固定片６４ａの形成を可能とするように、切り欠かれている。
【００５３】
設定部本体２０Ａの上部部材２１には、第１の実施形態において説明したように、摘み部２４の摺動方向の両端部付近に、水平に延びるブラケット２１４が設けられており、該ブラケット２１４に雌ねじ付き孔２１４ａが形成されている。
【００５４】
このスライド操作装置を組み立てるには、曲折部６２が設定部本体２０Ａ上端部のブラケット２１４を覆い、挟持部６３と板状体６１とで該上端部２００を挟持する。そして、曲折部６２に設けられた貫通孔６２１に通したビスを、上部部材２１のブラケット２１４の雌ねじ付き孔２１４ａに螺合させる。こうして取付部３０により、設定部本体２０Ａは板状体６１の一方の側に保持された状態となる。
【００５５】
次に、基板４０Ａを板状体６１に固定する。これは、基板４０Ａにおける電子部品を装着した側とは反対側の面を、板状体６１の舌片６１１〜６１５にあてがい、基板４０Ａに設けられた貫通孔４７を通して、舌片６１１〜６１４の雌ねじ付き孔６１１ａ〜６１４ａにビスを螺合させることにより行なう。下部の舌片６１５には、雌ねじ付き孔が形成されていないが、固定は他の孔でのねじ止めにより行なわれるので、該舌片６１５は板状体６１に当接することにより位置決めの役割りをなす。なお、基板４０Ａの裏面には、前述のように表示器ユニット５５の突起５３１及び固定フック５３３が突出しているので、該突出部分が板状体６１の孔部６５及び６６に受け入れられる位置で基板４０Ａを板状体６１にあてがうことにより、位置決めを容易に行なうことができる。このようにして、取付部３０により、板状体６１の一方の面及び他方の面の側に設定部本体２０Ａ及び基板４０Ａが各々保持された状態となる。
【００５６】
次に、この取付部３０を用いてスライド制御盤１のパネル２への取り付けを行なう。図１１に示すように、パネル２の裏面には、該裏面から垂下して該裏面に平行に延びる支承片２ａが設けられている。支承片２ａは、取り付けられるべきスライド操作装置１０毎に、前述の第一固定片６４ａ及び第二固定片６４ｂに対応する位置に設けられており、各々に雌ねじ付き孔が形成されている。図１１には、３つのスライド操作装置１０が示されており、その右側２つについては、支承片２ａ、第一固定片６４ａ、第二固定片６４ｂが明確に現れるように、スライド制御盤上部の領域Ｓ１，Ｓ２，Ｓ３は切断面を異ならせた断面を示している。これらの領域Ｓ１，Ｓ２，Ｓ３の切断面の位置を、図１０の保持部材６０に各々Ｘ１，Ｘ２，Ｘ３として示す。図１１は、基板４０Ａを一点鎖線で表すと共に、その上部を切り欠いて示している。摘み部２４は、左側２つについて一点鎖線で示し、右側のものでは図示を省略している。
【００５７】
支承片２ａは、保持部材６０の曲折部６２をパネル２裏面に当接したときに、第一固定片６４ａ及び第二固定片６４ｂに当接するか直近位置に至るように配置されている。したがって、保持部材６０の曲折部６２をパネル２裏面にあてがい、第一固定片６４ａ及び第二固定片６４ｂを各支承片２ａにあてがって、各固定片に設けられた貫通孔を通して取り付けビス２ｂを支承片２ａの雌ねじ付き孔に螺合することにより、スライド操作装置１０をパネル２に固定することができる。これにより、取付部３０をパネル２の裏面に確実に固定することができる。その結果、設定部本体２０Ａ及び基板４０Ａは、取付部３０を介してパネル２に堅固に固定されることとなる。
【００５８】
その取り付け作業は、パネル２の裏面側で行なうことができるので、例えば、パネル２を上下逆向きに置いて、スライド操作装置１０をパネル２のスリットに位置合わせする作業からパネル２への固定までを一貫してパネル裏面から行なうことができ、極めて作業性が良い。また、取り付けビスがパネル表面から見えないという利点も得られる。
この実施形態では、パネル２は表面を樹脂製のシート２ｃで覆われている。このシート２ｃはパネル面に耐久性と装飾性とを付与することができる。また、貫通孔６２１を経て雌ねじ付き孔２１４ａに螺合させたビスの頭部がパネル２から突出する高さを、シート２ｃの厚さ以下とすることにより、操作パネル面からビスが突出するのが回避される。特に、パネル２からのビス頭部の突出高さをシート厚と同一とし、ビス頭部の径と同じ孔をシート２ｃに設けることにより、操作パネルの表面を平滑な面とすることができる。
【００５９】
以上、本発明の実施形態について説明したが、本発明はこれらに限定されるものではなく、その趣旨を逸脱しない限りにおいて上記の他、種々の変更が可能である。
【００６０】
上記第２の実施形態において、保持部材６０の曲折部６２及び挟持部６３は、摘み部２４摺動方向に連続的に延びたものを示したが、該方向に間隔をおいて断続的に延びるものとすることもできる。但し、曲折部６２を連続的に延びる形態とすることにより、保持部材６０の剛性を高めることができ、さらに挟持部６３を連続的に延びる形態とすることにより、保持部材６０の剛性をより高くすることができる。
【００６１】
また、第２の実施形態において、保持部材６０には第一固定片６４ａ及び第二固定片６４ｂを摘み部２４摺動方向の一端側及び他端側で相反する方向に突き出るように設け、固定片の配置を千鳥状としたが、一端側及び他端側の少なくとも一方において固定片を両側へ突き出るように設けてもよい。但し、複数のスライド操作装置がパネル２に取り付けられる場合は、千鳥状の配置とすることにより、隣り合う保持部材６０の固定片同士の干渉がないので、保持部材６０及びスライド操作装置１０，１０を密に配置することができる。同様の観点から、摘み部２４摺動方向の一端側及び他端側の少なくとも一方において固定片を両側へ突き出るように設ける場合は、隣り合う保持部材６０の固定片同士の干渉しない位置に設けるのが望ましい。
【００６２】
パネル２裏面に対面する対向部位は、図１２に示す形態とすることができる。ここでは、ブラケット２１４の上面から上方へ延びる突起２１４ｂが曲折部６２に設けられた孔６２ｂを貫通して曲折部６２から上方へ僅かに突出している。したがって、これらの突起２１４ｂによって対向部位２１４ｔが形成されている。
【００６３】
第２の実施形態においては、取付部３０によりスライド操作装置１０をパネル２に取り付ける際に、曲折部６２がブラケット２１４を上方から覆うようにしたが、これを逆にして、図１３に示すように、ブラケット２１４を曲折部６２の上方に位置させることもできる。この場合は、ブラケット２１４の上面２１４ｔが、パネル２に対面する対向部位となる。なお、この配置のためには、曲折部６２は、図示のように挟持部６３を取り除くこと等により、曲折部６２をブラケット２１４の下方に挿入可能な構造とされる。また、この挿入を容易にするために、連結ロッド２３は躯体２５内から外方へ突出しないようにするのが望ましい。この場合は、摘み部２４が躯体２５内に延びて連結ロッド２３に結合される。パネル２への取付けは、図１０に示した挟持部６３における摘み部スライド方向の一端部にある第二固定片６４ｂと同様の固定片を、スライド方向の挟持部６３の他端部に設け、これらの固定片を用いて行なうことができる。
【００６４】
さらに第２の実施形態における取付部３０については、パネル２の孔から曲折部６２及びブラケット２１４に設けた孔にビスを通して固定するというようにして、取付け孔を設けた対向部位（図１０の６２ｔ、図１３の２１４ｔ）によってパネル固定部を構成することもできる。この場合は、図１０及び図１１に示したパネル固定部６４（第一固定片６２ａ、第二固定片６２ｂ）の一方又は双方を省略することができる。
【００６５】
また、図１１の下部に一点鎖線で示すように、取付部３０の平面状部材６１に保持された支持プレートをパネル２から遠ざかる方向へ支持プレート４５’として示す位置まで拡張し、該拡張部分に電子部品４４’等を実装して付加基板Ｐを形成することもできる。この付加基板に、スライド制御盤の他のスライド操作装置や制御装置の制御等の機能を持たせることにより、同機能のために別個の基板を取り付ける場合に比べて、部品点数を少なくすることができる。このように、設定部本体の保持に必要な領域を越えて支持プレートを拡張することにより、基板の回路設計の自由度を増すことができるという利点も得られる。
【００６６】
上記の各実施形態に示したスライド操作装置は、操作パネルが水平に近い状態に設置される形態のものであるが、この他、操作パネルの一部または全体が水平面に対して大きな傾斜角で設置されるものや、垂直に近い設置状態で使用されるものもある。本発明は、設置の向きを問わず適用できるものであり、上記実施形態に示された構造を、水平状態からかけ離れた傾斜状態で設置されるものへと変更する場合は、実施形態の説明について、スライド操作装置における上側は操作パネルに近い側、下側は操作パネルから遠ざかる側と読み替えられるべきである。
【符号の説明】
【００６７】
１：スライド制御盤、    ２：パネル（操作パネル）、    １０，１０Ａ：スライド操作装置、    ２０，２０Ａ：パラメータ設定部本体、    ２３：連結ロッド（操作子）、    ２４：摘み部（操作子）、    ２５：躯体、    ３０：取付部、    ３１：第１保持部、    ３２：第２保持部、    ４０，４０Ａ：基板、    ４１：第１係合部、    ４２：第２係合部、    ４５：支持プレート、    ５０：表示器、    ５１：発光素子、    ６０：保持部材、    ６１：板状体（平面状部材）、    ６２：曲折部、    ６２ｔ，２１４ｔ：対向部位、    ６４：パネル固定部、    ２００：上端部、    Ｓ：操作子のスライド方向、    Ｔ：対向部位に交差する方向
【図１】
2009260259.tif 000003
【図２】
2009260259.tif 000004
【図３】
2009260259.tif 000005
【図４】
2009260259.tif 000006
【図５】
2009260259.tif 000007
【図６】
2009260259.tif 000008
【図７】
2009260259.tif 000009
【図８】
2009260259.tif 000010
【図９】
2009260259.tif 000011
【図１０】
2009260259.tif 000012
【図１１】
2009260259.tif 000013
【図１２】
2009260259.tif 000014
【図１３】
2009260259.tif 000015